(57)【要約】【課題】簡単に装着でき、装着状態で痛みを伴うことがなく、日常生活の邪魔にならず、装着状態を安定的に維持できる磁力式巻き爪矯正具を提供する。【解決手段】爪に接着剤で貼り付けられる磁気帯びシール（１）と、爪の上方に位置する爪覆い部（３）と指嵌め込み部（４）からなる樹脂製の矯正具本体（８）と、爪覆い部（３）に埋め込まれて、磁気帯びシール（１）を引き付ける磁石（２）と、爪覆い部（３）の中央下側から突出して磁気帯びシール（１）に係合する凸部（７ａ）と、磁気帯びシール（１）に形成され凸部（７ａ）に係合する凹部（７ｂ）と、が備えられ、爪覆い部（３）の左右側が磁気帯びシール（１）に接触しないように張り出している。【選択図】図３
2013230290.tif 000002
【特許請求の範囲】
【請求項１】
爪に貼り付けられる磁気帯びシールと、
爪の上方に位置する爪覆い部と指嵌め込み部からなる樹脂製の矯正具本体と、
前記爪覆い部に埋め込まれて、前記磁気帯びシールを引き付ける磁石と、
前記爪覆い部の中央下側から突出して前記磁気帯びシールに係合する凸部と、
前記磁気帯びシールに形成され前記凸部に係合する凹部と、が備えられ、
前記爪覆い部の左右側が磁気帯びシールに接触しないように張り出していることを特徴とする磁力式巻き爪矯正具。
【請求項２】
前記磁気帯びシールは爪の左右側に伸びる１枚の磁気帯びシールからなり、前記磁石が１つの磁石からなることを特徴とする請求項１に記載の磁力式巻き爪矯正具。
【請求項３】
前記磁気帯びシールは爪の左右に貼り付ける２枚の磁気帯びシールからなり、前記磁石が２つの磁石からなることを特徴とする請求項１に記載の磁力式巻き爪矯正具。
【発明の詳細な説明】
【技術分野】
【０００１】
本発明は、磁力式巻き爪矯正具に係り、より詳しくは、装着状態を安定して維持することができる磁力式巻き爪矯正具に関する。
【背景技術】
【０００２】
従来、巻き爪の矯正には、医師による専門的な知識や特殊な技能を必要とし、施術に痛みを伴うなどの問題点があり、また、小指などの小さな爪の矯正は困難であった。
【０００３】
特許文献１の爪の変形を直す矯正具は、爪の左右端にワイヤを引っ掛け、爪の中央部で左右のワイヤに互いに引っ張り力を加えて、爪の湾曲を防止している。装着には、専門的な知識や装着技術を必要とする。特許文献２の巻き爪矯正具は、Ω形状のバネ用線材の両端を爪の先の左右端に設けた小穴に装着し、バネ用線材の外側に広がろうとする力で矯正を行なうもので、爪が短い場合は装着できない。足の指などに装着後に、足を強く踏み込むと、爪がΩ形状のバネ用線材で左右に引っ張られるので、痛みを伴う場合がある。特許文献１、２の矯正具は、金属が皮膚に接触するので、金属アレルギーを有する者には使用できない。また、薄く弱い爪では爪が割れてしまう可能性があり、著しく厚い爪、変形した爪や二次感染や炎症のため痛みの強い場合にも使用できない。特許文献３の巻き爪矯正具は、磁石を利用しているが、磁石と爪に貼り付けた磁性体との距離が近すぎて結合してしまう場合や、磁石が遠すぎて磁石の力が弱くなる場合があるので、装着状態を安定して維持しにくい。
【先行技術文献】
【特許文献】
【０００４】
【特許文献１】特開２００１−２７６１０４号公報
【特許文献２】特開２００９−２８５４４１号公報
【特許文献３】特表２００９−５３１０８０号公報
【発明の概要】
【発明が解決しようとする課題】
【０００５】
本発明の目的は、簡単に装着でき、装着状態で痛みを伴うことがなく、日常生活の邪魔にならないで装着でき、装着状態を安定的に維持できる磁力式巻き爪矯正具を提供することにある。
【課題を解決するための手段】
【０００６】
本発明の磁力式巻き爪矯正具は、爪に貼り付けられる磁気帯びシールと、爪の上方に位置する爪覆い部と指嵌め込み部からなる樹脂製の矯正具本体と、前記爪覆い部に埋め込まれて、前記磁気帯びシールを引き付ける磁石と、前記爪覆い部の中央下側から突出して前記磁気帯びシールに係合する凸部と、前記磁気帯びシールに形成され前記凸部に係合する凹部と、が備えられ、前記爪覆い部の左右側が磁気帯びシールに接触しないように張り出していることを特徴とする。
【０００７】
前記磁気帯びシールは爪の左右側に伸びる１枚の磁気帯びシールからなり、前記磁石が１つの磁石からなることを特徴とする。
【０００８】
前記磁気帯びシールは爪の左右に貼り付ける２枚の磁気帯びシールからなり、前記磁石が２つの磁石からなることを特徴とする。
【発明の効果】
【０００９】
本発明の磁力式巻き爪矯正具によれば、磁気帯びシールを爪に貼り、矯正具本体を指に嵌め込むだけなので、高度に専門的な技術を要さず容易に装着できる。薄くて弱い爪、著しく厚い爪、変形した爪及び二次感染や炎症のため痛みの強い場合にも使用できる。磁石の磁力で爪に貼り付けた磁気帯びシールを引き上げるようにしたので、痛みを伴うことがない。また、矯正具本体の爪覆い部に磁石を埋め込んだので、磁石がむき出しではなく、指に当たって痛むことがない。爪覆い部の下側に突出した凸部を磁気帯びシールに形成された凹部に係合させたので、矯正具本体がずれたりすることがなく、装着状態を安定的に維持できる。爪覆い部の左右側を張り出させて、磁気帯びシールに接触しないようにしたので、爪の一点に集中することなく爪の広い範囲に引き上げ力を与えることができる。爪に合わせて樹脂で矯正具本体を製作するので、著しく肥厚した爪にも使用できる。装着時に爪の手術を必要としないので、爪白癬、化膿性爪囲炎などの感染症、重篤な糖尿病、血流障害を有する者にも適する。金属のむき出し個所がなく、金属アレルギーを有する者にも使用できる。入浴や運動時にも外す必要がないので、便利で使いやすく、装着時間が長くなることで矯正効果が上がる。
【００１０】
爪の左右側に伸びる１枚の磁気帯びシールと、１つの磁石から構成したので、爪覆い部から下側に突出した凸部を磁気帯びシールの凹部に確実に係合できる。矯正具本体が指からずれたりしない。磁気帯びシールが１枚なので、小指などの小さな爪に適している。爪の中央部は、矯正具本体の凸部で押さえ込まれており、張り出した爪覆い部の中の磁石が、爪の左右側を効果的に引き上げる。
【００１１】
爪の左右に貼り付ける２枚の磁気帯びシールと、２つの磁石から構成したので、親指など左右に幅のある爪の両縁を矯正する場合に適している。爪の中央部は、矯正具本体の凸部で押さえ込まれており、張り出した爪覆い部の中の磁石が、爪の左右側を効果的に引き上げる。
【図面の簡単な説明】
【００１２】
【図１】本発明による磁力式巻き爪矯正具が指に装着された場合の平面図である。（実施例１）
【図２】図１のＡ−Ａ断面図である。（実施例１）
【図３】図１の磁力式巻き爪矯正具の斜視図である。（実施例１）
【図４】本発明による磁力式巻き爪矯正具が指に装着された場合の平面図である。（実施例２）
【図５】図４のＡ−Ａ断面図である。（実施例２）
【図６】図４の磁力式巻き爪矯正具の斜視図である。（実施例２）
【発明を実施するための形態】
【００１３】
以下、図面を参照して、本発明による磁力式巻き爪矯正具を詳しく説明する。
【実施例１】
【００１４】
図１は、本発明による磁力式巻き爪矯正具１００が指に装着された場合の平面図である。磁力式巻き爪矯正具１００は、爪覆い部３と指嵌め込み部４からなる矯正具本体８と爪５に貼り付ける磁気帯びシール１からなり、爪覆い部３には磁石２が埋め込まれる。磁力式巻き爪矯正具１００は樹脂製であり、一例として、やわらかくて違和感のないシリコンを使用することができる。磁気帯びシール１は、指６の爪５に接着剤で貼り付ける。矯正具本体８の爪覆い部３は爪５の上方に位置させる。指嵌め込み部４は、爪５の後方に位置して指６に嵌め込まれる。指嵌め込み部４は、指の関節が曲がるように、関節の前側に位置させる。爪覆い部３の中央部の下側には、凸部７ａが設けられる。
【００１５】
図２は、図１のＡ−Ａ断面図である。爪覆い部３の厚さは、例えば約３ｍｍとすることができる。その内部には磁石２が埋め込まれる。爪覆い部３の下側には凸部７ａが形成され、磁気帯びシール１の凹部７ｂに係合させる。凸部７ａが凹部７ｂに係合されるのは、磁石２が磁気帯びシール１を引く磁力による。爪覆い部３の左右下側は、磁気帯びシール１に接触しない。これは凸部７ａを設け、爪覆い部３の左右を張り出したことによる。このため、矢印で示すように、磁石２と磁気帯びシール１が結合したり、遠く離れたりすることがなく、爪５に効果的な引き上げ力が与えられる。磁力式巻き爪矯正具１００の装着期間は、４〜６カ月である。指嵌め込み部４は、下側を開口させたが、円筒状としてもよい。磁力式巻き爪矯正具１００の寸法は個人に合わせて製作される。
【００１６】
図３は、図１の磁力式巻き爪矯正具１００の斜視図である。爪覆い部３の下側に設けた凸部７ａが、磁気帯びシール１の凹部７ｂに係合する。ここでは１２個の凸部７ａを形成したが、これに限るものではない。凹部７ｂは、磁気帯びシール１の表面に樹脂で形成してもよい。爪覆い部３は、上から見て略Ｔ字形に形成した。磁気帯びシールが１枚なので、小指などの小さな爪に貼りやすい。
【実施例２】
【００１７】
図４〜６は、磁力式巻き爪矯正具の他の実施例である。図４は磁力式巻き爪矯正具２００の平面図であり、図５は図４のＡ−Ａ断面図であり、図６は斜視図である。実施例１と同じ構成については、説明を省略する。実施例１との違いは、矯正具本体８の爪覆い部３が、左右に２つに分割されていることである。これは、親指などは左右に幅があり、磁気帯びシール１を左右に伸ばして貼る必要がないことによる。巻き爪は、爪の左右端が内側に湾曲するものなので、磁気帯びシール１は、爪５の左右に貼り付けるために２枚とした。また磁石２は２つとした。爪覆い部３の下側には凸部７ａが形成され、磁気帯びシール１の凹部７ｂに係合させている。爪覆い部３の下側の凸部７ａにより、爪覆い部３が左右に張り出しており、磁気帯びシール１に接触しない。このため、図５の矢印で示すように、磁石２と磁気帯びシール１が接近して結合したり、遠く離れたりすることがなく、爪５に効果的な引き上げ力が与えられる。
【産業上の利用可能性】
【００１８】
本発明の磁力式巻き爪矯正具によれば、構造が簡単でコストもかからないので、様々な巻き爪に広く使用できる。
【符号の説明】
【００１９】
１    磁気帯びシール
２    磁石
３    爪覆い部
４    指嵌め込み部
５    爪
６    指
７    係合部
７ａ    凸部
７ｂ    凹部
８    矯正具本体
１００、２００    磁力式巻き爪矯正具
【図１】
2013230290.tif 000003
【図２】
2013230290.tif 000004
【図３】
2013230290.tif 000005
【図４】
2013230290.tif 000006
【図５】
2013230290.tif 000007
【図６】
2013230290.tif 000008